(57)【特許請求の範囲】
【請求項１】
通信性能を改善するためのフィードバック情報を受信側から送信側へ帰還する、複数のサブキャリアの信号を多重したＯＦＤＭ信号を送受信するＯＦＤＭ通信システムであって、
前記フィードバック情報に基づき複数の前記サブキャリアの信号を所定数単位でサブキャリアグループ化し、前記ＯＦＤＭ信号として送信する第１の通信装置と、
前記第１の通信装置から受信した前記ＯＦＤＭ信号から、前記サブキャリア毎の通信路品質を測定し、該通信路品質に基づき前記サブキャリアをサブキャリアグループ化し、前記サブキャリアグループと該サブキャリアグループに所属するサブキャリアの対応関係を示すグループパターンを示す情報であるグループ化情報、及び前記サブキャリアグループ毎の前記通信路品質を示す修正通信路情報を前記フィードバック情報として前記第１の通信装置へ送信する第２の通信装置と、
有し、
前記第２の通信装置は、
最も通信路品質が高いサブキャリアから順に前記所定数単位でサブキャリアグループ化し、該サブキャリアグループと該サブキャリアグループに所属するサブキャリアの対応関係を示す最適グループパターンを前記グループ化情報とし、
前記グループ化情報は、
前記サブキャリアに予め付与された番号の順に、各サブキャリアが所属する前記サブキャリアグループに付与した番号を並べた情報であるＯＦＤＭ通信システム。
【請求項２】
通信性能を改善するためのフィードバック情報を受信側から送信側へ帰還する、複数のサブキャリアの信号を多重したＯＦＤＭ信号を送受信するＯＦＤＭ通信システムであって、
前記フィードバック情報に基づき複数の前記サブキャリアの信号を所定数単位でサブキャリアグループ化し、前記ＯＦＤＭ信号として送信する第１の通信装置と、
前記第１の通信装置から受信した前記ＯＦＤＭ信号から、前記サブキャリア毎の通信路品質を測定し、該通信路品質に基づき前記サブキャリアをサブキャリアグループ化し、前記サブキャリアグループと該サブキャリアグループに所属するサブキャリアの対応関係を示すグループパターンを示す情報であるグループ化情報、及び前記サブキャリアグループ毎の前記通信路品質を示す修正通信路情報を前記フィードバック情報として前記第１の通信装置へ送信する第２の通信装置と、
有し、
前記第２の通信装置は、
最も通信路品質が高いサブキャリアから順に前記所定数単位でサブキャリアグループ化し、該サブキャリアグループと該サブキャリアグループに所属するサブキャリアの対応関係を示す最適グループパターンを前記グループ化情報とし、
前記グループ化情報は、
前記サブキャリアグループに付与した番号の順に、それぞれに所属する前記サブキャリアに予め付与された番号を並べた情報であるＯＦＤＭ通信システム。
【請求項３】
前記第１の通信装置は、
前記フィードバック情報を含む前記第２の通信装置から受信したフィードバック信号を入力とし、該フィードバック信号から再生したフィードバック情報である再生フィードバック情報を出力する第１の受信機と、
前記再生フィードバック情報を入力とし、所定の制御情報を出力する適応制御部、並びに情報データ及び前記制御情報を入力とし、ＯＦＤＭ信号を生成して前記第２の通信装置へ送信するＯＦＤＭ信号生成部を備えた第１の送信機と、
を有し、
前記第２の通信装置は、
前記第１の通信装置から送信された前記ＯＦＤＭ信号を受信し、該ＯＦＤＭ信号から再生した情報データである再生情報データ及び前記サブキャリア毎の通信路品質の情報である通信路情報を出力する情報再生部、並びに前記通信路情報から前記フィードバック情報を生成するフィードバック情報生成部を備えた第２の受信機と、
前記フィードバック情報を含むフィードバック信号を前記第１の通信装置へ送信する第２の送信機と、
を有し、
Ｎを２以上の整数、ｎをＮの任意の約数、ＭをＮ／ｎとしたとき、
前記フィードバック情報生成部は、
前記通信路情報に基づいて、１つのＯＦＤＭシンボルに含まれる全Ｎ個のサブキャリアを、ｎ個単位で１つのサブキャリアグループとする全Ｍ個のサブキャリアグループに分けるサブキャリアグループ化を行い、前記グループ化情報及び前記修正通信路情報を前記フィードバック情報として出力し、
前記適応制御部は、
受信したフィードバック信号から再生した前記グループ化情報である再生グループ化情報及び該フィードバック信号から再生した前記修正通信路情報である再生通信路情報を含む前記再生フィードバック情報を基に前記制御情報を生成する請求項１または２記載のＯＦＤＭ通信システム。
【請求項４】
前記フィードバック情報生成部は、
前記通信路情報に基づいて、前記サブキャリアグループを生成し、該サブキャリアグループを示す情報を前記グループ化情報として出力するグループパターン決定部と、
前記通信路情報及び前記グループ化情報を入力とし、該グループ化情報に基づいて前記サブキャリアグループごとに計算した前記修正通信路情報を出力する通信路推定値再計算部と、
を有する請求項３記載のＯＦＤＭ通信システム。
【請求項５】
ｍを１ずつ増加する１からＭまでの整数としたとき、
前記グループパターン決定部は、
前記通信路情報を基にＮ個のサブキャリアのうち、前記通信路品質が最も高いサブキャリアから順に、（ｍ−１）ｎ＋１番目からｍｎ番目までのｎ個のサブキャリアを、サブキャリアグループ番号ｍのサブキャリアグループに割り当てたグループパターンを最適グループパターンとし、該最適グループパターンを前記グループ化情報として出力する請求項４記載のＯＦＤＭ通信システム。
【請求項６】
通信性能を改善するためのフィードバック情報を受信側から送信側へ帰還する、複数のサブキャリアの信号を多重したＯＦＤＭ信号を送受信するＯＦＤＭ通信システムであって、
前記フィードバック情報に基づき複数の前記サブキャリアの信号を所定数単位でサブキャリアグループ化し、前記ＯＦＤＭ信号として送信する第１の通信装置と、
前記第１の通信装置から受信した前記ＯＦＤＭ信号から、前記サブキャリア毎の通信路品質を測定し、該通信路品質に基づき前記サブキャリアをサブキャリアグループ化し、前記サブキャリアグループと該サブキャリアグループに所属するサブキャリアの対応関係を示すグループパターンを示す情報であるグループ化情報、及び前記サブキャリアグループ毎の前記通信路品質を示す修正通信路情報を前記フィードバック情報として前記第１の通信装置へ送信する第２の通信装置と、
を有し、
Ｎを２以上の整数、ｎをＮの任意の約数としたとき、
前記第２の通信装置は、
最も通信路品質が高いサブキャリアから順に前記所定数単位でサブキャリアグループ化し、該サブキャリアグループと該サブキャリアグループに所属するサブキャリアの対応関係を示す最適グループパターンを生成する最適グループパターン決定部と、
全サブキャリア数Ｎと前記サブキャリアグループあたりのサブキャリア数ｎから想定可能な前記グループパターンの数以下の、予め設定した複数のグループパターン候補を生成するパターン候補生成部と、
前記最適グループパターンに最も近い前記グループパターン候補を準最適グループパターンとして選択し、該準最適グループパターンまたは該準最適グループパターンを識別するために用いる準最適候補番号の少なくとも一方を出力するマッチング部と、
を有するＯＦＤＭ通信システム。
【請求項７】
前記マッチング部は、
前記パターン候補生成部で生成されたグループパターンの候補のうち、前記最適グループパターンに最も近い前記準最適グループパターンを選択するために用いる指標である複数のマッチング指標を予め設定し、
前記マッチング指標に予め付与した優先順位にしたがって前記複数のマッチング指標を順次選択し、該選択済みのマッチング指標に全て合致する前記グループパターンの候補を前記準最適グループパターンとして選択する請求項６記載のＯＦＤＭ通信システム。
【請求項８】
前記マッチング部は、
前記選択済みのマッチング指標に全て合致するグループパターンの候補が一つになった段階で、該グループパターンの候補を前記準最適グループパターンとして選択し、
全てのマッチング指標に合致するグループパターンの候補が二つ以上ある場合は、該二つ以上のグループパターンの候補のうち、任意の一つを前記準最適グループパターンとして選択する請求項７記載のＯＦＤＭ通信システム。
【請求項９】
前記マッチング部は、
前記パターン候補生成部で生成されたグループパターンの候補と前記最適グループパターンの近似度を示す値として、前記グループパターンの候補を構成する各サブキャリアグループと前記最適グループパターンを構成する各サブキャリアグループとの間で異なるサブキャリアの数である相違サブキャリア数を測定する請求項７記載のＯＦＤＭ通信システム。
【請求項１０】
前記マッチング部は、
前記パターン候補生成部で生成されたグループパターンの候補と前記最適グループパターンの近似度を示す値として、前記グループパターンの候補を構成する各サブキャリアグループと前記最適グループパターンを構成する各サブキャリアグループとの間で異なるサブキャリアの数である相違サブキャリア数を測定する請求項８記載のＯＦＤＭ通信システム。
【請求項１１】
前記マッチング指標に、
前記相違サブキャリア数の平均値である平均相違サブキャリア数、
前記相違サブキャリア数の最大値である最大相違サブキャリア数、
前記相違サブキャリア数の最小値である最小相違サブキャリア数、
前記相違サブキャリア数の分散の少なくともいずれか一つを含む請求項９記載のＯＦＤＭ通信システム。
【請求項１２】
前記マッチング指標に、
前記相違サブキャリア数の平均値である平均相違サブキャリア数、
前記相違サブキャリア数の最大値である最大相違サブキャリア数、
前記相違サブキャリア数の最小値である最小相違サブキャリア数、
前記相違サブキャリア数の分散の少なくともいずれか一つを含む請求項１０記載のＯＦＤＭ通信システム。
【請求項１３】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項６記載のＯＦＤＭ通信システム。
【請求項１４】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項７記載のＯＦＤＭ通信システム。
【請求項１５】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項８記載のＯＦＤＭ通信システム。
【請求項１６】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項９記載のＯＦＤＭ通信システム。
【請求項１７】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項１０記載のＯＦＤＭ通信システム。
【請求項１８】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項１１記載のＯＦＤＭ通信システム。
【請求項１９】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を、前記グループ化情報に含めて前記第１の通信装置へ送信する請求項１２記載のＯＦＤＭ通信システム。
【請求項２０】
前記第２の通信装置は、
前記グループ化情報に前記準最適グループパターンの情報が含まれる場合、前記サブキャリアグループに予め付与した番号の順に、それぞれに所属する前記サブキャリアに予め付与された番号を並べた情報を前記グループ化情報に含めて前記第１の通信装置へ送信する請求項６から１９のいずれか１項記載のＯＦＤＭ通信システム。
【請求項２１】
ｍを１ずつ増加する１からＭまでの整数とし、Ｋを１以上Ｎ！／｛（ｎ！）Ｍ｝以下の整数とし、ｋを１以上Ｋ以下の整数としたとき、
前記グループパターン決定部は、
前記通信路情報を基にＮ個のサブキャリアのうち、前記通信路品質が最も高いサブキャリアから順に、（ｍ−１）ｎ＋１番目からｍｎ番目までのｎ個のサブキャリアを、サブキャリアグループ番号ｍのサブキャリアグループに割り当てたグループパターンを最適グループパターンとして出力する最適パターン決定部と、
候補番号１からＫのグループパターンの候補からなるパターン候補群を生成し、入力された前記最適グループパターンに最も近いグループパターンをもつグループパターン候補を準最適グループパターンとして選択し、該準最適グループパターンまたは該準最適グループパターンを識別するために用いる準最適候補番号ｋの少なくとも一方を前記グループ化情報として出力するパターン検出部と、
を有する請求項４記載のＯＦＤＭ通信システム。
【請求項２２】
前記パターン検出部は、
前記パターン候補群を生成して出力するパターン候補生成部と、
前記最適グループパターン及び前記パターン候補群を入力とし、該準最適グループパターンまたは該準最適グループパターンを識別するために用いる準最適候補番号ｋの少なくとも一方を前記グループ化情報として出力するマッチング部と、
を有する請求項２１記載のＯＦＤＭ通信システム。
【請求項２３】
Ｌを０以上の任意の整数、ｌを０からＬまでの整数、ＰをＬ＋１以上の任意の整数としたとき、
前記マッチング部は、
フィードバック候補番号とフィードバック判定部からのフィードバック回数であるループ回数ｌと前記最適グループパターンと前記パターン候補群とを入力とし、全Ｋ個の前記グループパターン候補の前記候補番号または前記フィードバック候補番号をマッチング候補番号とし、前記最適グループパターンに対する前記マッチング候補番号に対応するグループパターン候補の近似度をそれぞれ測定し、その結果をマッチング測定値とし、前記マッチング候補番号及び前記マッチング測定値をマッチング測定情報として出力するマッチング測定部と、
前記ループ回数と前記マッチング測定情報を入力とし、前記準最適グループパターンを選択するための指標であり、選択する優先順位を予め任意に設定した指標番号１からＰの全Ｐ個のマッチング指標を含むマッチング指標群を生成し、前記ループ回数がｌの場合は前記優先順位がｌ＋１番目である前記マッチング指標を選択指標として選択し、前記マッチング情報を基に前記選択指標を計算し、その結果を指標計算値とし、前記指標計算値及び前記指標番号をマッチング情報として出力する指標測定部と、
前記マッチング候補番号及び前記マッチング情報を入力とし、前記選択指標に基づいた候補選択基準を満たすグループパターン候補の候補番号を選択候補番号として出力する指標比較部と、
前記ループ回数をカウントするカウンタを備え、前記選択候補番号を入力とし、前記選択候補番号を前記フィードバック候補番号としてフィードバックするか否かを判定し、フィードバックする場合は前記ループ回数を１つ増加して出力し、フィードバックしない場合は前記ループ回数を０にリセットして出力する前記フィードバック判定部と、
前記ループ回数と前記選択候補番号と前記パターン候補群とを入力とし、前記準最適グループパターンを決定し、該準最適グループパターンまたは該準最適グループパターンを識別するために用いる準最適候補番号ｋの少なくとも一方を前記グループ化情報として出力する候補選択部と、
を有し、
前記マッチング測定部は、
前記ループ回数が０の場合は前記パターン候補群の全Ｋ個の前記グループパターン候補の前記候補番号を前記マッチング候補番号とし、前記ループ回数が１以上の場合は前記フィードバック候補番号を前記マッチング候補番号とし、
前記候補選択部は、
前記ループ回数が０の場合のみ前記グループ化情報を出力する請求項２２記載のＯＦＤＭ通信システム。
【請求項２４】
前記フィードバック判定部は、
前記選択候補番号が１つの場合、または前記ループ回数ｌがＬの場合は前記選択候補番号を前記フィードバック候補番号としてフィードバックせず、
前記選択候補番号が２つ以上かつｌ≠Ｌの場合は前記選択候補番号を前記フィードバック候補番号としてフィードバックする請求項２３記載のＯＦＤＭ通信システム。
【請求項２５】
前記候補選択部は、
前記選択候補番号が１つの場合、前記選択候補番号に対応する前記グループパターン候補をそのまま前記準最適グループパターンとし、
前記選択候補番号が２つ以上の場合は、前記選択候補番号に対応するグループパターン候補の中から任意に１つを選択し前記準最適グループパターンとする請求項２３記載のＯＦＤＭ通信システム。
【請求項２６】
通信性能を改善するためのフィードバック情報を受信側から送信側へ帰還する、複数のサブキャリアの信号を多重したＯＦＤＭ信号を送受信するＯＦＤＭ通信システムであって、
前記フィードバック情報に基づき複数の前記サブキャリアの信号を所定数単位でサブキャリアグループ化し、前記ＯＦＤＭ信号として送信する第１の通信装置と、
前記第１の通信装置から受信した前記ＯＦＤＭ信号から、前記サブキャリア毎の通信路品質を測定し、該通信路品質に基づき前記サブキャリアをサブキャリアグループ化し、前記サブキャリアグループと該サブキャリアグループに所属するサブキャリアの対応関係を示すグループパターンを示す情報であるグループ化情報、及び前記サブキャリアグループ毎の前記通信路品質を示す修正通信路情報を前記フィードバック情報として前記第１の通信装置へ送信する第２の通信装置と、
有し、
Ｎを２以上の整数、ｎをＮの任意の約数としたとき、
前記第２の通信装置は、
全サブキャリア数Ｎと前記サブキャリアグループあたりのサブキャリア数ｎから想定可能な前記グループパターンの数以下の、複数のグループパターンの候補を生成するパターン候補生成部と、
前記グループパターンの候補のうち、各サブキャリアグループ間の通信路品質差であるグループ間品質差の和が最も大きいグループパターンの候補を準最適グループパターンとして選択し、前記準最適グループパターンまたは該準最適グループパターンを識別するために用いる準最適候補番号の少なくとも一方を出力するパターン選択部と、
を有するＯＦＤＭ通信システム。
【請求項２７】
前記第２の通信装置は、
前記グループ化情報に前記準最適グループパターンの情報が含まれる場合、前記サブキャリアに予め付与された番号の順に、各サブキャリアが所属する前記サブキャリアグループに予め付与した番号を並べた情報を前記グループ化情報に含めて前記第１の通信装置へ送信する請求項２６記載のＯＦＤＭ通信システム。
【請求項２８】
前記第２の通信装置は、
前記グループ化情報に前記準最適グループパターンの情報が含まれる場合、前記サブキャリアグループに予め付与した番号の順に、それぞれに所属する前記サブキャリアに予め付与された番号を並べた情報を前記グループ化情報に含めて前記第１の通信装置へ送信する請求項２６記載のＯＦＤＭ通信システム。
【請求項２９】
Ｋを１以上Ｎ！／｛（ｎ！）Ｍ｝以下の整数、ｋを１以上Ｋ以下の整数としたとき、
候補番号１からＫのグループパターン候補からなるパターン候補群を生成して出力する前記パターン候補生成部と、
前記通信路情報と前記パターン候補群を入力とし、前記候補番号１からＫのグループパターン候補それぞれにおいてＭ個のサブキャリアグループにおける通信路品質を測定し、１番目のサブキャリアグループからＭ番目のサブキャリアグループまでが、通信路品質が高い順になっているグループパターン候補を選択グループパターン候補として選択し、前記選択グループパターン候補の候補番号を選択候補番号とし、前記選択グループパターン候補それぞれにおける各サブキャリアグループの通信路品質を通信路品質情報とし、前記通信路品質情報を基に前記選択グループパターン候補のうちサブキャリアグループ間の通信路品質差であるグループ間品質差の和が最も大きいグループパターン候補を準最適グループパターンとして選択し、該準最適グループパターンまたは該準最適グループパターンを識別するために用いる準最適候補番号ｋの少なくとも一方を前記グループ化情報とし、前記通信路品質情報のうちの前記準最適グループパターンにおけるＭ個の各サブキャリアグループの通信路品質を前記修正通信路情報とし、前記グループ化情報及び前記修正通信路情報を出力する前記グループパターン選択部と、
を有する請求項３記載のＯＦＤＭ通信システム。
【請求項３０】
前記グループパターン選択部は、
前記通信路情報及び前記パターン候補群を入力とし、前記選択グループパターン候補及び前記選択候補番号を選択し、前記通信路品質情報を測定し、前記選択候補番号と前記通信路品質情報を出力する通信路品質測定部と、
前記通信路品質情報を入力とし、前記選択グループパターン候補それぞれにおいて前記グループ間品質差を測定し、その結果をグループ間品質差情報として出力する品質差測定部と、
前記選択候補番号と前記通信路品質情報と前記グループ間品質差情報と前記パターン候補群とを入力とし、前記準最適グループパターンを選択し、前記グループ化情報及び前記修正通信路情報を出力するパターン選択部と、
を有する請求項２９記載のＯＦＤＭ通信システム。
【請求項３１】
前記グループパターン選択部は、
ｍを１ずつ増加する１からＭまでの整数としたとき、
前記グループ化情報に前記準最適グループパターンの情報が含まれる場合、
前記サブキャリアに予め付与された番号１からＮの順に、各サブキャリアが所属する前記サブキャリアグループに予め付与した番号ｍ１乃至ｍＮのいずれか１つを並べた情報を前記グループ化情報に含めて前記第１の通信装置へ送信する請求項２９または３０記載のＯＦＤＭ通信システム。
【請求項３２】
前記グループパターン選択部は、
ｍを１ずつ増加する１からＭまでの整数としたとき、
前記グループ化情報に前記準最適グループパターンの情報が含まれる場合、
前記サブキャリアグループに付与した番号ｍ１からｍＮの順に、それぞれに所属する前記サブキャリアに予め付与された番号１乃至Ｎのいずれかｎ個ずつを並べた情報を前記グループ化情報に含めて前記第１の通信装置へ送信する請求項２９または３０記載のＯＦＤＭ通信システム。
【発明の詳細な説明】
【技術分野】
【０００１】
本発明は、情報データ系列を複数のサブキャリアを用いて伝送するＯＦＤＭ（Orthogonal  Frequency  Division  Multiplexing）通信システムに関し、特に通信性能を改善するためのフィードバック情報を受信側から送信側へ帰還する機能を備えたＯＦＤＭ通信システムに関する。
【背景技術】
【０００２】
ＯＦＤＭは、情報データを複数のサブキャリアを用いて伝送するマルチキャリア通信方式である。ＯＦＤＭでは、通信路（伝搬路）の環境により、各サブキャリアの通信路品質（受信電力や伝送誤り率等）が異なる。そのため、受信側で各通信路の品質をそれぞれ測定し、その測定結果を基にサブキャリア毎のフィードバック情報を生成し、該フィードバック情報を送信側へ返信することで通信性能を改善する方法が知られている。【０００３】
しかしながら、このような方法ではサブキャリア数の増加に比例してフィードバック情報量が増大するため、情報データの伝送効率が低下する問題がある。そこで、送信側にて予め隣接する複数のサブキャリアを１つにまとめるサブキャリアグループ化を行い、受信側はサブキャリアグループ毎にフィードバック情報を生成することで情報量を低減する技術がある（例えば、特開２００３−１６９０３６号公報参照）。【０００４】
以下、サブキャリアをグループ化する従来のＯＦＤＭ通信システムについて図１を用いて説明する。【０００５】
図１に示すように、従来のＯＦＤＭ通信システムは、第１の送信機５０３及び第１の受信機５０４を備えた第１の通信装置５０１と、第２の送信機５０６及び第２の受信機５０５を備えた第２の通信装置５０２とを有する。【０００６】
第１の送信機５０１は、サブキャリアをグループ化し、送信信号であるＯＦＤＭ信号を生成するＯＦＤＭ信号生成部５０７と、ＯＦＤＭ信号生成部５０７で各サブキャリアに対して実行するリンクアダプテーションを指示する適応制御部５０８とを有する。【０００７】
第２の受信機５０５は、受信したＯＦＤＭ信号から情報データを再生すると共に通信路品質を測定する情報再生部５０９と、情報再生部５０９から出力された通信路品質の測定結果（通信路情報）に基づきフィードバック情報を生成するフィードバック情報生成部５１０とを有する。【０００８】
第１の送信機５０１が備えるＯＦＤＭ信号生成部５０７は、図２に示すようにＮ個（Ｎは２以上の整数）のサブキャリアの情報データＳＴＤＡＴを、第１番目のサブキャリアから順にｎ個（ｎはＮの任意の約数）単位でグループ化し、Ｍ（Ｍ＝Ｎ／ｎ）個のサブキャリアグループを生成する。また、適応制御部５０８から供給される、制御情報ＳＣＴＲＬで指定されたリンクアダプテーションを実行してサブキャリアグループごとに送信パラメータを設定し、送信ＯＦＤＭ信号ＳＴＸを生成して第２の通信装置５０２へ送信する。【０００９】
ＯＦＤＭ信号生成部５０７で実行するリンクアダプテーションとしては、サブキャリアグループの通信路品質が高いほど、それに所属するサブキャリアに割り当てるシンボル変調の多値数を多くする適応変調制御、あるいはサブキャリアグループの通信路品質が低いほど、それに所属するサブキャリアに割り当てる送信電力を大きくする送信電力制御などがある。【００１０】
第２の受信機５０５が備える情報再生部５０９は、受信ＯＦＤＭ信号ＳＲＸから情報データを再生し、再生情報データＳＲＤＡＴとして出力する。また、受信ＯＦＤＭ信号ＳＲＸからサブキャリアグループ毎の通信路情報ＳＣＥＯを生成する。【００１１】
フィードバック情報生成部５１０は、情報再生部５０９から出力された通信路情報ＳＣＥＯを基に、予め設定されたサブキャリアグループ毎のフィードバック情報ＳＴＦＢＯを生成する。第２の送信機５０６は、フィードバック情報ＳＴＦＢＯを含む送信フィードバック信号ＳＦＢＴＸを生成し、第１の通信装置５０１へ送信する。【００１２】
第１の受信機５０４は、第２の送信機５０６から送信された送信フィードバック信号ＳＦＢＴＸを受信し（受信フィードバック信号ＳＦＢＲＸ）、該受信フィードバック信号ＳＦＢＲＸからフィードバック情報ＳＴＦＢＯを再生し（再生フィードバック情報ＳＲＦＢＯ）、第１の送信機５０３の適応制御部５０８へ出力する。【００１３】
適応制御部５０８は、再生フィードバック情報ＳＲＦＢＯに基づきサブキャリアグループ毎に通信路品質を改善するためのリンクアダプテーションを選択し、その選択結果を含む制御情報ＳＣＴＲＬをＯＦＤＭ信号生成部５０７へ出力する。【００１４】
このように、従来のＯＦＤＭ通信システムでは、サブキャリアグループ毎にフィードバック情報を生成することで、受信側から送信側へ供給するフィードバック情報量を低減している。また、再生フィードバック情報ＳＲＦＢＯを基に通信路品質を改善するためのリンクアダプテーションを実行することで通信性能を向上させている。【００１５】
しかしながら上述した従来のＯＦＤＭ通信システムでは、各サブキャリアグループと、それらに含まれるサブキャリアとの対応関係を示すグループパターンが予め設定した関係で常に一定であるため、サブキャリアグループとしての通信路品質と、それに含まれるサブキャリア個々の通信路品質との間に差が生じた場合に、サブキャリアの通信路品質に応じた適切なフィードバック情報が生成されない問題がある。【００１６】
また、適応制御部によって決定するリンクアダプテーションもサブキャリアの通信路品質に対応したものとはならないため、最適なリンクアダプテーションを実行した場合と比べて通信性能が大きく劣化してしまう問題がある。
【発明の開示】
【００１７】
そこで本発明の目的は、最適なフィードバック情報を受信側から送信側へ帰還できるＯＦＤＭ通信システムを提供することにある。
【００１８】
また、本発明の他の目的は、情報量を抑制しつつ、最適なフィードバック情報を受信側から送信側へ帰還できるＯＦＤＭ通信システムを提供することにある。
【００１９】
上記目的を達成するため本発明では、受信側にて、Ｎ個のサブキャリアを、その通信路品質が最も高いものから順にｎ個（ｎはＮの任意の約数）単位で、Ｍ（Ｍ＝Ｎ／ｎ）個にグループ化したものを最適グループパターンとする。
【００２０】
そして、通信路情報を基に、最適グループパターンにおけるＭ個のサブキャリアグループ毎に計算した結果を修正通信路情報とし、最適グループパターンのグループ化情報（サブキャリアグループと該サブキャリアグループに所属するサブキャリアの対応関係を示すグループパターンを示す情報）と修正通信路情報とをフィードバック情報とする。
【００２１】
送信側では、フィードバック情報から再生した再生フィードバック情報を基にサブキャリアをグループ化する。
【００２２】
上記のような第１のＯＦＤＭ通信システムでは、通信路品質の最も高いサブキャリアから順にグループ化するため、各サブキャリアグループの通信路品質とそれに所属するサブキャリアの通信路品質間の差が低減し、サブキャリアグループ毎に生成される修正通信路情報も各サブキャリアの通信路品質に応じた情報となる。また、リンクアダプテーションもサブキャリアの通信路品質に対応したものが実行される。
【００２３】
さらに、本発明では、グループパターンを示す情報のフィードバック量を低減する方法として、以下の第２、第３のＯＦＤＭ通信システムを提案する。
【００２４】
本発明の第２のＯＦＤＭ通信システムは、受信側にて、Ｎ個のサブキャリアを、その通信路品質が最も高いものから順にｎ個（ｎはＮの任意の約数）単位で、Ｍ（Ｍ＝Ｎ／ｎ）個にグループ化したものを最適グループパターンとする。
【００２５】
そして、全サブキャリア数Ｎとサブキャリアグループあたりのサブキャリア数ｎから想定可能なグループパターン数以下の複数のグループパターン候補を生成し、最適グループパターンに最も近いグループパターン候補を準最適グループパターンとする。さらに、準最適グループパターンまたはその候補番号である準最適候補番号をグループ化情報とし、グループ化情報と、通信路情報を基に準最適グループパターンにおけるサブキャリアグループ毎に計算した結果である修正通信路情報とをフィードバック情報とする。
【００２６】
送信側では、フィードバック情報から再生した準最適グループパターンを基にサブキャリアのグループ化を行う。または準最適候補番号を基に準最適グループパターンを再生し、それに基づきサブキャリアのグループ化を行う。
【００２７】
上記のような第２のＯＦＤＭ通信システムでは、最適グループパターンに最も近い準最適グループパターンに基づき各サブキャリアをグループ化するため、各サブキャリアグループの通信路品質とそれに所属するサブキャリアの通信路品質間の差が低減し、サブキャリアグループ毎に生成される修正通信路情報も各サブキャリアの通信路品質に応じた情報となる。また、リンクアダプテーションもサブキャリアの通信路品質に対応したものが実行される。
【００２８】
また、本発明の第３のＯＦＤＭ通信システムは、受信側にて、全サブキャリア数Ｎとサブキャリアグループあたりのサブキャリア数ｎから想定可能なグループパターン数以下の複数のグループパターン候補を生成し、全てのグループパターン候補の通信路品質を測定し、各グループパターン候補におけるサブキャリアグループ間の通信路品質差が最も大きいグループパターン候補を準最適グループパターンとする。さらに、準最適グループパターンまたはその候補番号である準最適候補番号をグループ化情報とし、グループ化情報と、通信路情報を基に準最適グループパターンにおけるサブキャリアグループ毎に計算した結果である修正通信路情報とをフィードバック情報とする。
【００２９】
送信側では、フィードバック情報から再生した準最適グループパターンを基にサブキャリアのグループ化を行う。または準最適候補番号を基に準最適グループパターンを再生し、それに基づきサブキャリアのグループ化を行う。
【００３０】
上記のような第３のＯＦＤＭ通信システムでは、第２のＯＦＤＭ通信システムと同様に、準最適グループパターンに基づき各サブキャリアをグループ化するため、各サブキャリアグループの通信路品質とそれに所属するサブキャリアの通信路品質間の差が低減し、サブキャリアグループ毎に生成される修正通信路情報も各サブキャリアの通信路品質に応じた情報となる。また、リンクアダプテーションもサブキャリアの通信路品質に対応したものが実行される。
【００３１】
さらに、予め生成したグループパターン候補のうち、準最適グループパターンを示す準最適候補番号を送信側に返信すれば、フィードバック情報の情報量を低減できる。
【００３２】
本発明によれば、各サブキャリアグループの通信路品質とそれに所属するサブキャリアの通信路品質間の差が低減し、サブキャリアグループ毎に生成される修正通信路情報も各サブキャリアの通信路品質に応じた情報となる。したがって、最適なフィードバック情報を受信側から送信側へ帰還できる。また、リンクアダプテーションもサブキャリアの通信路品質に対応したものが実行される。
【００３３】
また、予め生成したグループパターン候補のうち、準最適グループパターンを示す準最適候補番号を送信側に帰還すれば、フィードバック情報の情報量を低減できる。
【図面の簡単な説明】
【００３４】
【図１】従来のＯＦＤＭ通信システムの構成を示すブロック図である。
【図２】図１に示したＯＦＤＭ通信システムで実施するサブキャリアのグループ化の一例を示す模式図である。
【図３】本発明のＯＦＤＭ通信システムの第１の実施の形態の構成を示すブロック図である。
【図４】図３に示したＯＦＤＭ通信システムで送受信する各サブキャリアの通信路品質の一具体例を示すグラフである。
【図５】図４に示した通信路品質のサブキャリアをそれぞれサブキャリアグループに割り当てた様子を示す模式図である。
【図６】本発明のＯＦＤＭ通信システムの第２の実施の形態の構成を示すブロック図である。
【図７】図６に示したマッチング部の一構成例を示すブロック図である。
【図８】図６に示したＯＦＤＭ通信システムで用いる、最適グループパターンの一具体例を示す模式図である。
【図９】図６に示したＯＦＤＭ通信システムで用いる、パターン候補群の一具体例を示す模式図である。
【図１０】図７に示したマッチング部の処理で用いる、マッチング指標の一例を示すテーブル図である。
【図１１】図７に示したマッチング部の処理で用いる、各グループパターン候補の相違サブキャリア数の一具体例を示すテーブル図である。
【図１２】図７に示したマッチング部の処理で用いる、各グループパターン候補のマッチング指標の一具体例を示すテーブル図である。
【図１３】図７に示したマッチング部の処理で用いる、各グループパターン候補の相違サブキャリア数の他の具体例を示すテーブル図である。
【図１４】図７に示したマッチング部の処理で用いる、各グループパターン候補のマッチング指標の他の具体例を示すテーブル図である。
【図１５】本発明のＯＦＤＭ通信システムの第３の実施の形態の構成を示すブロック図である。
【図１６】図１５に示したＯＦＤＭ通信システムで用いる、サブキャリア毎に測定した通信路品質の一具体例を示すテーブル図である。
【図１７】図１５に示したＯＦＤＭ通信システムで用いる、グループパターン候補の各サブキャリアグループに含まれるサブキャリア番号とそのサブキャリアグループの通信路品質の平均値の一具体例を示すテーブル図である。
【図１８】図１５に示したＯＦＤＭ通信システムで用いる、グループパターン候補のサブキャリアグループ間の通信路品質差の一具体例を示すテーブル図である。
【発明を実施するための最良の形態】
【００３５】
（第１の実施の形態）
図３に示すように、第１の実施の形態のＯＦＤＭ通信システムは、第１の送信機１０３及び第１の受信機１０４を備えた第１の通信装置１０１と、第２の送信機１０６及び第２の受信機１０５を備えた第２の通信装置１０２とを有する。【００３６】
第１の送信機１０３は、ＯＦＤＭ信号生成部１０７及び適応制御部１０８を備えている。第２の受信機１０５は、情報再生部１０９、最適パターン決定部１１０及び通信路推定値再計算部１１１を備えている。【００３７】
第１の送信機１０１のＯＦＤＭ信号生成部１０７は、Ｎ個（Ｎは２以上の整数）のサブキャリアの情報データＳＴＤＡＴを、適応制御部１０８から供給された制御情報ＳＣＴＲＬに基づいてｎ個（ｎはＮの任意の約数）単位でグループ化し、Ｍ（Ｍ＝Ｎ／ｎ）個のサブキャリアグループを生成する。また、適応制御部１０８から供給される制御情報ＳＣＴＲＬで指定されたリンクアダプテーションを実行してサブキャリアグループごとに送信パラメータを設定し、送信ＯＦＤＭ信号ＳＴＸを生成して第２の通信装置１０２へ送信する。なお、各サブキャリアグループには、グループ番号ｍ（ｍ＝１，２，…，Ｍ）がそれぞれ付与される。【００３８】
ＯＦＤＭ信号生成部１０７で実行するリンクアダプテーションの例としては、従来と同様に、サブキャリアグループの通信路品質が高いほど、それに所属するサブキャリアに割り当てるシンボル変調の多値数を多くする適応変調制御、あるいはサブキャリアグループの通信路品質が低いほど、それに所属するサブキャリアに割り当てる送信電力を大きくする送信電力制御等がある。【００３９】
第２の受信機１０５の情報再生部１０９は、受信ＯＦＤＭ信号ＳＲＸから情報データを再生し、再生情報データＳＲＤＡＴとして出力する。また、受信ＯＦＤＭ信号ＳＲＸからサブキャリアグループ毎の通信路情報ＳＣＥＯを生成する。【００４０】
最適パターン決定部１１０は、情報再生部１０９から出力された通信路情報ＳＣＥＯに基づき、Ｎ個のサブキャリアを、通信路品質が高い順にｎ個単位でグループ化することで最適なグループパターン（以下、最適グループパターンと称す）を決定し、決定した最適グループパターンの情報をグループ化情報ＳＯＰＧＰとして出力する。【００４１】
通信路推定値再計算部１１１は、通信路情報ＳＣＥＯとグループ化情報ＳＯＰＧＰとに基づき、最適グループパターンのサブキャリアグループ毎に算出した通信路情報（修正通信路情報ＳＴＣＨＯ）を出力する。【００４２】
第２の送信機１０６は、グループ化情報ＳＯＰＧＰ及び修正通信路情報ＳＴＣＨＯを含むフィードバック情報を生成し、該フィードバック情報から成る送信フィードバック信号ＳＦＢＴＸを第１の通信装置１０１へ送信する。【００４３】
第１の受信機１０４は、第２の送信機１０６から送信された送信フィードバック信号ＳＦＢＴＸを受信し（受信フィードバック信号ＳＦＢＲＸ）、該受信フィードバック信号ＳＦＢＲＸからフィードバック情報ＳＴＦＢＯを再生し（再生フィードバック情報ＳＲＦＢＯ）、第１の送信機１０３の適応制御部１０８へ出力する。【００４４】
適応制御部１０８は、再生フィードバック情報ＳＲＦＢＯ中の修正通信路情報に基づき、サブキャリアグループ毎に適切なリンクアダプテーションを選択する。そして、該選択結果と各サブキャリアをグループ化するためのグループ化情報とを含む制御情報ＳＣＴＲＬをＯＦＤＭ信号生成部１０７へ出力する。【００４５】
本実施形態の最適パターン決定部１１０は、上述したようにＮ個（Ｎは２以上の整数）のサブキャリアを、通信路品質が最も高いものから順にｎ個（ｎはＮの任意の約数）単位でグループ化し、サブキャリアグループ番号ｍ（ｍ＝１，２,…,Ｍ、Ｍ＝Ｎ／ｎ）を持つＭ個のサブキャリアグループから成る最適グループパターンを決定する。【００４６】
最適グループパターンを示すグループ化情報ＳＯＰＧＰとしては、例えばサブキャリア１、２、…、Ｎが属するサブキャリアグループ番号ｍ１,ｍ２,…,ｍＮ（ｍ１,ｍ２,…,ｍＮは１以上Ｍ以下の整数）、またはＭ個の各サブキャリアグループに含まれるｎ個のサブキャリア番号を関連付けた情報等を出力する。【００４７】
次に、第１の実施の形態のＯＦＤＭ通信システムによる最適グループパターンの決定方法について図４及び図５用いて具体的に説明する。なお、図４及び図５では、サブキャリア数Ｎ＝１６、各サブキャリアグループに含まれるサブキャリア数ｎ＝４、サブキャリアグループ数Ｍ＝４の場合を例示している。【００４８】
図４は、各サブキャリアの通信路品質を示すグラフであり、通信路品質が最も高いサブキャリアから順にサブキャリア番号SC#=3,4,15,2,5,14,16,6,1,13,7,12,8,9,10,11となる例を示している。また、図５は、各サブキャリアを、通信路品質が最も高いものから順にグループ番号（Gr#=1-4）のサブキャリアグループに割り当てた様子を示しており、各サブキャリアグループとそれに含まれるサブキャリア番号とは、Gr#1：SC#=2,3,4,15、Gr#2：SC#=5,6,14,16、Gr#3：SC#=1,7,12,13、Gr#4：SC#=8,9,10,11となる。ここでは、図５に示すサブキャリアグループとサブキャリアの関係を最適グループパターンとする。この場合、グループ化情報ＳＯＰＧＰとしては、例えばサブキャリア1,2,…,16の順にそれぞれが所属するサブキャリアグループ番号を並べた情報｛Gr#=3,1,1,1,2,2,3,4,4,4,4,3,3,2,1,2｝、またはサブキャリアグループ番号Gr#1,Gr#2,Gr#3,Gr#4の順にそれぞれに所属するサブキャリア番号を並べた情報｛SC#=2,3,4,15,5,6,14,16,1,7,12,13,8,9,10,11｝を用いる。【００４９】
本実施形態のＯＦＤＭ通信システムによれば、通信路品質が最も高いサブキャリアから順にグループ化するため、各サブキャリアグループの通信路品質とそれに所属するサブキャリアの通信路品質間の差が低減し、サブキャリアグループ毎に生成される修正通信路情報も各サブキャリアの通信路品質に応じた情報となる。また、リンクアダプテーションもサブキャリアの通信路品質に対応したものが第１の送信機１０３にて実行される。
（第２の実施の形態）
第１の実施の形態では、上述したようにＮ個（Ｎは２以上の整数）のサブキャリアを、通信路品質が最も高いものから順にｎ個（ｎはＮの任意の約数）単位でグループ化し、サブキャリアグループ番号ｍ（ｍ＝１，２,…,Ｍ、Ｍ＝Ｎ／ｎ）を持つＭ個のサブキャリアグループから成る最適グループパターンを決定している。そして、この最適グループパターンを示すグループ化情報ＳＯＰＧＰ及びそのサブキャリアグループ毎の通信路情報である修正通信路情報ＳＴＣＨＯを含むフィードバック情報を、受信側である第２の通信装置から送信側である第１の通信装置に返信している。【００５０】
第２の実施の形態のＯＦＤＭ通信システムでは、サブキャリア数Ｎとサブキャリアグループ当たりのサブキャリア数ｎに応じて想定されるグループパターン数以下のグループパターン候補を予め用意しておく。そして、該グループパターン候補のうち、最適なグループパターンに最も近いものを準最適グループパターンとして決定し、準最適グループパターンを識別するための情報（準最適候補番号）を受信側である第２の通信装置から送信側である第１の通信装置に返信することでフィードバック情報量を低減する。【００５１】
図６に示すように、第２の実施の形態のＯＦＤＭ通信システムは、第１の送信機２０３及び第１の受信機２０４を備えた第１の通信装置２０１と、第２の送信機２０６及び第２の受信機２０５を備えた第２の通信装置２０２とを有する。【００５２】
第１の送信機２０３は、ＯＦＤＭ信号生成部２０７、制御情報生成部２０８、パターン比較部２０９及びパターン候補生成部２１０を備えている。第２の受信機２０５は、情報再生部２１１、最適パターン決定部２１２、マッチング部２１３と、パターン候補生成部２１４及び通信路推定値再計算部２１５を備えている。【００５３】
第１の送信機２０１のＯＦＤＭ信号生成部２０７は、Ｎ個（Ｎは２以上の整数）のサブキャリアの情報データＳＴＤＡＴを、制御情報生成部２０８から供給された制御情報ＳＣＴＲＬに基づいてグループ化し、Ｍ（Ｍ＝Ｎ／ｎ）個のサブキャリアグループを生成する。また、制御情報生成部２０８から供給される制御情報ＳＣＴＲＬで指定されたリンクアダプテーションを実行してサブキャリアグループごとに送信パラメータを設定し、送信ＯＦＤＭ信号ＳＴＸを生成して第２の通信装置２０２へ送信する。ここでは、各サブキャリアグループには、グループ番号ｍ（ｍ＝１，２，…，Ｍ）がそれぞれ付与されるものとする。【００５４】
ＯＦＤＭ信号生成部２０７で実行するリンクアダプテーションの例としては、第１の実施の形態と同様に、サブキャリアグループの通信路品質が高いほど、それに所属するサブキャリアに割り当てるシンボル変調の多値数を多くする適応変調制御、あるいはサブキャリアグループの通信路品質が低いほど、それに所属するサブキャリアに割り当てる送信電力を大きくする送信電力制御等がある。【００５５】
第２の受信機２０５の情報再生部２１１は、受信ＯＦＤＭ信号ＳＲＸから情報データを再生し、再生情報データＳＲＤＡＴとして出力する。また、受信ＯＦＤＭ信号ＳＲＸからサブキャリアグループ毎の通信路情報ＳＣＥＯを生成する。【００５６】
最適パターン決定部２１２は、第１の実施の形態と同様に、情報再生部２１１から出力された通信路情報ＳＣＥＯに基づき、Ｎ個（Ｎは２以上の整数）のサブキャリアを通信路品質が高い順にｎ個（ｎはＮの任意の約数）単位でグループ化することで最適なグループパターンを決定し、決定した最適グループパターンＳＯＰＧＰを出力する。【００５７】
パターン候補生成部２１４は、候補番号１からＫ（Ｋは１以上Ｎ！／｛（ｎ！）Ｍ｝以下の整数。Ｍ＝Ｎ／ｎ）のグループパターン候補からなるパターン候補群ＳＰＣＳを生成する。【００５８】
マッチング部２１３は、最適パターン決定部２１２から出力された最適グループパターンＳＯＰＧＰとパターン候補生成部２１４で生成されたパターン候補群ＳＰＣＳとを比較し、最適グループパターンに最も近いグループパターン候補を準最適グループパターンとして決定し、該準最適グループパターンＳＧＰＯとその候補番号ｋ（ｋは１以上Ｋ以下の整数）である準最適候補番号ＳＴＧＰＯとを出力する。【００５９】
通信路推定値再計算部１１１は、情報再生部２１１から出力された通信路情報ＳＣＥＯとマッチング部２１３で決定された準最適グループパターンＳＧＰＯとに基づき、準最適グループパターンのサブキャリアグループ毎に算出した通信路情報（修正通信路情報ＳＴＣＨＯ）を出力する。【００６０】
第２の送信機２０６は、準最適候補番号ＳＴＧＰＯ及び修正通信路情報ＳＴＣＨＯを含むフィードバック情報を生成し、該フィードバック情報から成る送信フィードバック信号ＳＦＢＴＸを第１の通信装置２０１へ送信する。【００６１】
第１の受信機２０４は、第２の送信機２０６から送信された送信フィードバック信号ＳＦＢＴＸを受信し（受信フィードバック信号ＳＦＢＲＸ）、該受信フィードバック信号ＳＦＢＲＸから準最適候補番号ＳＴＧＰＯに対応する再生候補番号ＳＲＧＰＯを再生して第１の送信機２０３のパターン比較部２０９へ出力する。また、受信フィードバック信号ＳＦＢＲＸから修正通信路情報ＳＴＣＨＯに対応する再生通信路情報ＳＲＣＨＯを再生し、第１の送信機２０３の制御情報生成部２０８へ出力する。【００６２】
パターン候補生成部２１０は、第２の受信機２０５のパターン候補生成部２１４と同様に候補番号１からＫ（Ｋは１以上Ｎ！／｛（ｎ！）Ｍ｝以下の整数。Ｍ＝Ｎ／ｎ）のグループパターンの候補からなるパターン候補群ＳＰＣＳを生成する。【００６３】
パターン比較部２０９は、再生候補番号ＳＲＧＰＯとパターン候補生成部２１０から出力されたパターン候補群ＳＰＣＳを比較し、準最適グループパターンに対応する再生グループパターンＳＧＰを出力する。【００６４】
制御情報生成部２０８は、再生通信路情報ＳＲＣＨＯに基づき、準最適グループパターンのサブキャリアグループ毎に適切なリンクアダプテーションを選択する。そして、該選択結果と各サブキャリアをグループ化するための再生グループパターンＳＧＰとを含む制御情報ＳＣＴＲＬをＯＦＤＭ信号生成部２０７へ出力する。【００６５】
図７は図６に示したマッチング部２１３の一構成例を示すブロック図である。【００６６】
本実施形態のマッチング部２１０は、パターン候補生成部２１４で生成された複数のグループパターン候補のうち、予め設定された複数のマッチング指標を用いて最適グループパターンに最も近い準最適グループパターンを選択する。マッチング指標は、準最適グループパターンの候補として残すグループパターン候補を選択するために用いる指標であり、それらの指標には測定に用いる順番を示す優先順位がそれぞれ付与される。マッチング部２１０は、優先順位にしたがってマッチング指標を順次選択し、該選択済みのマッチング指標に全て合致するグループパターンの候補を準最適グループパターンとして決定する。【００６７】
図７に示すように、マッチング部２１３は、マッチング測定部３０１、指標測定部３０２、指標比較部３０３、フィードバック判定部３０４及び候補選択部３０５を備えている。【００６８】
マッチング測定部３０１は、最適パターン決定部２１２から出力された最適グループパターンＳＯＰＧＰ、パターン候補生成部２１４で生成されたパターン候補群ＳＰＣＳ、フィードバック判定部３０４から供給されるフィードバック候補番号ＳＳＣＮＦＢ及びループ回数ＳＬＰを基に、ループ回数ＳＬＰが「０」の場合は候補番号１からＫの全てのグループパターン候補をマッチング候補番号ＳＭＴＣＮとして出力する。また、ループ回数ＳＬＰが「１」以上の場合は指標比較部３０３で選択したグループパターン候補を示す選択候補番号ＳＳＣＮ（＝フィードバック候補番号ＳＳＣＮＦＢ）をマッチング候補番号ＳＭＴＣＮとして出力する。【００６９】
さらに、マッチング測定部３０１は、マッチング候補番号ＳＭＴＣＮに対応するグループパターン候補が最適グループパターンＳＯＰＧＰにどの程度近いか（近似度）を示す値をそれぞれ測定し、該測定結果をマッチング測定値ＳＭＴＭＩとして出力する。【００７０】
指標測定部３０２は、ループ回数ＳＬＰ、マッチング候補番号ＳＭＴＣＮ及びマッチング測定値ＳＭＴＭＩを入力とし、予め設定されたマッチング指標及びそれらの優先順位を示す指標番号１からＰ（ＰはＬ＋１以上の任意の整数、Ｌは最大ループ回数であり、０以上の任意の整数）を含むマッチング指標群を生成する。そして、ループ回数ＳＬＰがｌ（ｌは０以上Ｌ以下の整数）である場合は優先順位がｌ＋１番目のマッチング指標を選択し、選択した指標番号ＳＭＴＩＤを出力する。さらに、選択指標を計算し、その結果を指標計算値ＳＭＴＩとして出力する。【００７１】
指標比較部３０３は、マッチング候補番号ＳＭＴＣＮ、指標番号ＳＭＴＩＤ及び指標計算値ＳＭＴＩを用いて、マッチング指標で示された候補選択基準を満たすグループパターン候補の候補番号を選択候補番号ＳＳＣＮとして出力する。【００７２】
フィードバック判定部３０４は、ループ回数をカウントするカウンタを備え、ループ回数ＳＬＰと選択候補番号ＳＳＣＮを基に、選択候補番号ＳＳＣＮをマッチング測定部３０１にフィードバック候補番号ＳＳＣＮＦＢとして帰還するか否かを判定する。具体的には、選択候補番号ＳＳＣＮが２つ以上で、かつループ回数ＳＬＰがＬに達していない場合は指標比較部３０３で選択した選択候補番号ＳＳＣＮ（＝フィードバック候補番号ＳＳＣＮＦＢ）をマッチング測定部３０１へ帰還する。一方、選択候補番号ＳＳＣＮが１つ、またはループ回数ＳＬＰがＬに達した場合は選択候補番号ＳＳＣＮをマッチング測定部３０１へ帰還しない。【００７３】
さらに、フィードバック判定部３０４は、フィードバック候補番号ＳＳＣＮＦＢをマッチング測定部３０１へ帰還する場合はループ回数（初期値は０）ＳＬＰの値を「１」増加させ、帰還しない場合はループ回数ＳＬＰの値を「０」にリセットして出力する。【００７４】
候補選択部３０５は、ループ回数ＳＬＰ、選択候補番号ＳＳＣＮ及びパターン候補群ＳＰＣＳを基に、ループ回数ＳＬＰが「０」の場合にのみ準最適グループパターンを決定し、準最適グループパターンＳＧＰＯと準最適候補番号ＳＴＧＰＯを出力する。なお、候補選択部３０５は、全てのマッチング指標を用いて準最適グループパターンを選択する前に選択候補番号ＳＳＣＮが１つになった場合は、これを準最適グループパターンに決定する。また、全てのマッチング指標を用いても選択候補番号ＳＳＣＮが２つ以上残った場合は、それらの選択候補番号ＳＳＣＮのうちの任意の１つを選択し、それに対応するグループパターン候補を準最適グループパターンに決定する。【００７５】
以上の処理により、最適グループパターンに最も近いグループパターン候補を準最適グループパターンとして決定する。【００７６】
次に、図７に示したマッチング部２１３におけるグループパターン候補と最適グループパターンの近似度の測定方法について図８及び図９を用いて説明する。以下では、全サブキャリア数Ｎ＝１６、各サブキャリアグループに含まれるサブキャリア数ｎ＝４、サブキャリアグループ数Ｍ＝４とする。【００７７】
本実施形態では、マッチング測定部３０１で測定するマッチング測定値ＳＭＴＭＩとして、グループパターン候補のサブキャリアグループと最適グループパターンのサブキャリアグループとの間で異なるサブキャリア番号の数である相違サブキャリア数を用いる。例えば、最適グループパターンが図８に示すようになり、パターン候補群が図９に示すようになる場合、候補番号＃１のグループパターン候補と最適グループパターンとの間の相違サブキャリア数は、サブキャリアグループ番号Gr#=1,2,3,4の順に｛1,0,1,2｝となる。【００７８】
図１０〜図１４は、マッチング部２１３における準最適グループパターンの決定手順を説明するための図である。【００７９】
本実施形態では、図１０に示すように、上述した相違サブキャリア数の平均値である平均相違サブキャリア数、相違サブキャリア数の最大値である最大相違サブキャリア数、相違サブキャリア数の最小値である最小相違サブキャリア数、相違サブキャリア数の分散をそれぞれマッチング指標とし、この順に指標番号1,2,3,4とする。これらのマッチング指標は、準最適グループパターンの選択に用いる順番である優先順位を予め任意に設定する。ここでは、優先順位を最大相違サブキャリア数、平均相違サブキャリア数、最小相違サブキャリア数、相違サブキャリア数の分散の順とする。さらに最大ループ回数Ｌ＝３とする。【００８０】
まず、マッチング部２１３による準最適グループパターンの決定方法の第１例について図１１及び図１２を用いて説明する。図１１はパターン候補群に含まれるグループパターン候補の個数Ｋを５とした場合の各グループパターン候補における相違サブキャリア数を示している。【００８１】
マッチング測定部３０１は、最適グループパターンＳＯＰＧＰ及びパターン候補群ＳＰＣＳを受け取ると、まずパターン候補群ＳＰＣＳに含まれる候補番号1,2,3,4,5をマッチング候補番号ＳＭＴＣＮとし、候補番号1,2,3,4,5のグループパターン候補と最適グループパターン間の相違サブキャリア数及びマッチング候補番号1,2,3,4,5を出力する。【００８２】
指標測定部３０２は、図１２に示すマッチング候補番号1,2,3,4,5のグループパターン候補それぞれの最大相違サブキャリア数（指標計算値ＳＭＴＩ）と、最大相違サブキャリア数に対応する指標番号ＳＭＴＩＤ＝２とを出力する。【００８３】
指標比較部３０３は、マッチング測定部３０１から供給されるマッチング候補番号1,2,3,4,5のうち、最大相違サブキャリア数が最も少ないマッチング候補番号2,3,4,5を選択候補番号ＳＳＣＮとして出力する。【００８４】
フィードバック判定部３０４は、選択候補番号ＳＳＣＮが２つ以上あり、ループ回数ＳＬＰが最大ループ回数３より小さいため（ＳＬＰ＝０）、選択候補番号ＳＳＣＮ2,3,4,5をフィードバック候補番号ＳＳＣＮＦＢとしてマッチング測定部３０１へ帰還し、ループ回数ＳＬＰの値を１つ増加させる（ＳＬＰ＝１）。【００８５】
次に、マッチング測定部３０１は、フィードバック候補番号ＳＳＣＮＦＢ2,3,4,5をマッチング候補番号ＳＭＴＣＮとし、候補番号2,3,4,5のグループパターン候補と最適グループパターン間の相違サブキャリア数及びマッチング候補番号2,3,4,5を出力する。【００８６】
指標測定部３０２は、図１２に示すマッチング候補番号2,3,4,5のグループパターン候補それぞれの平均相違サブキャリア数（指標計算値ＳＭＴＩ）と、平均相違サブキャリア数に対応する指標番号ＳＭＴＩＤ＝２とを出力する。【００８７】
指標比較部３０３は、マッチング測定部３０１から供給されるマッチング候補番号2,3,4,5のうち、平均相違サブキャリア数が最も少ないマッチング候補番号2,4を選択候補番号ＳＳＣＮとして出力する。【００８８】
フィードバック判定部３０４は、選択候補番号ＳＳＣＮが２つ以上あり、ループ回数ＳＬＰが最大ループ回数３より小さいため（ＳＬＰ＝１）、選択候補番号ＳＳＣＮ2,4をフィードバック候補番号ＳＳＣＮＦＢとしてマッチング測定部３０１へ帰還し、ループ回数ＳＬＰの値を１つ増加させる（ＳＬＰ＝２）。【００８９】
次に、マッチング測定部３０１は、フィードバック候補番号ＳＳＣＮＦＢ2,4をマッチング候補番号ＳＭＴＣＮとし、候補番号2,4のグループパターン候補と最適グループパターン間の相違サブキャリア数及びマッチング候補番号2,4を出力する。【００９０】
指標測定部３０２は、図１２に示すマッチング候補番号2,4のグループパターン候補それぞれの最小相違サブキャリア数（指標計算値ＳＭＴＩ）と、最小相違サブキャリア数に対応する指標番号ＳＭＴＩＤ＝３とを出力する。【００９１】
指標比較部３０３は、マッチング測定部３０１から供給されるマッチング候補番号2,4のうち、最小相違サブキャリア数が最も少ないマッチング候補番号2,4を選択候補番号ＳＳＣＮとして出力する。【００９２】
フィードバック判定部３０４は、選択候補番号ＳＳＣＮが２つ以上あり、ループ回数ＳＬＰが最大ループ回数３より小さいため（ＳＬＰ＝２）、選択候補番号ＳＳＣＮ2,4をフィードバック候補番号ＳＳＣＮＦＢとしてマッチング測定部３０１へ帰還し、ループ回数ＳＬＰの値を１つ増加させる（ＳＬＰ＝３）。【００９３】
次に、マッチング測定部３０１は、フィードバック候補番号ＳＳＣＮＦＢ2,4をマッチング候補番号ＳＭＴＣＮとし、候補番号2,4のグループパターン候補と最適グループパターン間の相違サブキャリア数及びマッチング候補番号2,4を出力する。【００９４】
指標測定部３０２は、図１２に示すマッチング候補番号2,4のグループパターン候補それぞれの相違サブキャリア数の分散（指標計算値ＳＭＴＩ）と、相違サブキャリア数の分散に対応する指標番号ＳＭＴＩＤ＝４とを出力する。【００９５】
指標比較部３０３は、マッチング測定部３０１から供給されるマッチング候補番号2,4のうち、相違サブキャリア数の分散が最も小さいマッチング候補番号2,4を選択候補番号ＳＳＣＮとして出力する。【００９６】
フィードバック判定部３０４は、マッチング指標を４つ用いても選択候補番号ＳＳＣＮを１つに絞れないが、ループ回数ＳＬＰが最大ループ回数３に達したため、選択候補番号ＳＳＣＮ2,4をフィードバック候補番号ＳＳＣＮＦＢとしてマッチング測定部３０１へ帰還せず、ループ回数ＳＬＰの値を「０」にリセットする。【００９７】
候補選択部３０５は、選択候補番号ＳＳＣＮが2,4の２つであるが、ループ回数ＳＬＰ＝０が入力されたため、その選択候補番号2,4のうちの任意の１つを選択し、選択した候補番号に対応するグループパターン候補を準最適グループパターンに決定する。【００９８】
例えば、候補番号２を選択した場合、候補番号２のグループパターン候補を準最適グループパターンＳＧＰＯとし、準最適候補番号ＳＧＰＯ＝２と共に出力する。【００９９】
以上のような処理により準最適グループパターンを決定する。このように本実施形態では、最大ループ回数Ｌに達しても選択候補番号ＳＳＣＮを１つに絞られない場合は、最後まで残った選択候補番号ＳＳＣＮから任意の１つを選択することで準最適グループパターンＳＧＰＯを決定すればよい。【０１００】
次に、マッチング部２１３による準最適グループパターンの決定手順の第２例について図１３及び図１４を用いて説明する。図１３はパターン候補群に含まれるグループパターン候補の個数Ｋを５とした場合の各グループパターン候補における相違サブキャリア数を示している。【０１０１】
マッチング測定部３０１は、最適グループパターンＳＯＰＧＰ及びパターン候補群ＳＰＣＳを受け取ると、まずパターン候補群ＳＰＣＳに含まれる候補番号1,2,3,4,5をマッチング候補番号ＳＭＴＣＮとし、候補番号1,2,3,4,5のグループパターン候補と最適グループパターン間の相違サブキャリア数及びマッチング候補番号1,2,3,4,5を出力する。【０１０２】
指標測定部３０２は、図１４に示すマッチング候補番号2,4のグループパターン候補それぞれの最大相違サブキャリア数（指標計算値ＳＭＴＩ）と、最大相違サブキャリア数に対応する指標番号２とを出力する。【０１０３】
指標比較部３０３は、マッチング測定部３０１から供給されるマッチング候補番号1,2,3,4,5のうち、最大相違サブキャリア数が最も少ないマッチング候補番号1,3,5を選択候補番号ＳＳＣＮとして出力する。【０１０４】
フィードバック判定部３０４は、選択候補番号ＳＳＣＮが２つ以上あり、ループ回数ＳＬＰが最大ループ回数３より小さいため（ＳＬＰ＝０）、選択候補番号ＳＳＣＮ1,3,5をフィードバック候補番号ＳＳＣＮＦＢとしてマッチング測定部３０１へ帰還し、ループ回数ＳＬＰの値を１つ増加させる（ＳＬＰ＝１）。【０１０５】
次に、マッチング測定部３０１は、フィードバック候補番号ＳＳＣＮＦＢ1,3,5をマッチング候補番号ＳＭＴＣＮとし、候補番号1,3,5のグループパターン候補と最適グループパターン間の相違サブキャリア数及びマッチング候補番号1,3,5を出力する。【０１０６】
指標測定部３０２は、図１４に示すマッチング候補番号1,3,5のグループパターン候補それぞれの平均相違サブキャリア数（指標計算値ＳＭＴＩ）と、平均相違サブキャリア数に対応する指標番号「１」とを出力する。【０１０７】
指標比較部３０３は、マッチング測定部３０１から供給されるマッチング候補番号1,3,5のうち、平均相違サブキャリア数が最も少ないマッチング候補番号3を選択候補番号ＳＳＣＮとして出力する。【０１０８】
フィードバック判定部３０４は、４つのマッチング指標を全て用いていないが、選択候補番号ＳＳＣＮが１つに絞られたため、選択候補番号ＳＳＣＮ3をフィードバック候補番号ＳＳＣＮＦＢとしてマッチング測定部３０１へ帰還せず、ループ回数ＳＬＰの値を「０」にリセットする。【０１０９】
候補選択部３０５は、ループ回数ＳＬＰの値が「０」であり、選択候補番号ＳＳＣＮが１つであるため、その選択候補番号ＳＳＣＮ＝3に対応するグループパターン候補を準最適グループパターンとして決定する。ここでは、候補番号3を選択したため、候補番号3のグループパターン候補を準最適グループパターンＳＧＰＯとし、準最適候補番号ＳＧＰＯ＝３と共に出力する。【０１１０】
以上のような処理により準最適グループパターンを決定する。このように本実施形態では、最大ループ回数Ｌに達しなくても選択候補番号ＳＳＣＮを１つに絞れた場合は、全ての（本実施形態では４つ）マッチング指標を用いることなく準最適グループパターンを決定できる。【０１１１】
本実施形態のＯＦＤＭ通信システムによれば、最適グループパターンに最も近い準最適グループパターンに基づき各サブキャリアをグループ化するため、第１の実施の形態と同様に、各サブキャリアグループの通信路品質とそれに所属するサブキャリアの通信路品質間の差が低減し、サブキャリアグループ毎に生成される修正通信路情報も各サブキャリアの通信路品質に応じた情報となる。また、リンクアダプテーションもサブキャリアの通信路品質に対応したものが第１の送信機２０３にて実行される。【０１１２】
さらに、予め生成したグループパターン候補のうち、最適グループパターンに最も近い準最適グループパターンを識別するための準最適候補番号を送信側である第１の通信装置２０１に返信すれば、フィードバック情報の情報量を低減できる。【０１１３】
なお、上記説明では、準最適候補番号を第１の通信装置２０１に返信し、第１の送信機２０３にて該準最適候補番号から準最適グループパターンを求め、サブキャリアをグループ化する例を示しているが、準最適候補番号ではなく、第１の実施の形態と同様に準最適グループパターンの情報を第１の通信装置２０１に返信してもよい。その場合、第１の通信装置２０１の第１の送信機２０３及び第１の受信機２０４に、それぞれ第１の実施の形態で示した構成を用いることができる。したがって、第１の送信機２０３にて準最適候補番号から準最適グループパターンを求める必要がないため、第１の送信機２０３を簡易に構成できる。
（第３の実施の形態）
第２の実施の形態のＯＦＤＭ通信システムでは、予め複数のグループパターン候補を用意しておき、最適なグループパターンに最も近いものを準最適グループパターンとして決定し、準最適グループパターンを識別するための情報（準最適候補番号）を受信側である第２の通信装置から送信側である第１の通信装置に返信することでフィードバック情報量を低減している。第３の実施の形態は、準最適グループパターンを他の方法を用いて決定する例である。具体的には、サブキャリアグループの番号順に通信路品質が高い（あるいは低い）グループパターン候補を選択し、それらのグループパターン候補を構成するサブキャリアグループ間の通信路品質の差であるグループ間品質差を測定する。そして、そのグループ間品質差の和が最も大きいグループパターン候補を抽出する。このようなグループパターン候補は、サブキャリアグループ間の通信路品質差が最も大きくなるため、予め生成された複数のグループパターン候補のうち、通信路品質が最も近いサブキャリアによって各サブキャリアグループが構成されていると考えられる。したがって、本実施形態では、このグループ間品質差の和が最も大きいグループパターン候補を準最適グループパターンとして決定する。【０１１４】
図１５に示すように、第３の実施の形態のＯＦＤＭ通信システムは、第１の送信機４０３及び第１の受信機４０４を備えた第１の通信装置４０１と、第２の送信機４０６及び第２の受信機４０５を備えた第２の通信装置４０２とを有する。【０１１５】
第１の送信機４０３は、ＯＦＤＭ信号生成部４０７、制御情報生成部４０８、パターン比較部４０９及びパターン候補生成部４１０を備えている。第２の受信機４０５は、情報再生部４１１、通信路品質測定部４１２、パターン候補生成部４１３、品質差測定部４１４及びパターン選択部４１５を備えている。【０１１６】
第１の送信機４０１のＯＦＤＭ信号生成部４０７は、Ｎ個（Ｎは２以上の整数）のサブキャリアの情報データＳＴＤＡＴを、制御情報生成部４０８から供給された制御情報ＳＣＴＲＬに基づいてグループ化し、Ｍ（Ｍ＝Ｎ／ｎ）個のサブキャリアグループを生成する。また、制御情報生成部４０８から供給される制御情報ＳＣＴＲＬで指定されたリンクアダプテーションを実行してサブキャリアグループごとに送信パラメータを設定し、送信ＯＦＤＭ信号ＳＴＸを生成して第２の通信装置４０２へ送信する。ここでは、各サブキャリアグループに、グループ番号ｍ（ｍ＝１，２，…，Ｍ）がそれぞれ付与されるものとする。【０１１７】
ＯＦＤＭ信号生成部４０７で実行するリンクアダプテーションの例としては、第１及び第２の実施の形態と同様に、サブキャリアグループの通信路品質が高いほど、それに所属するサブキャリアに割り当てるシンボル変調の多値数を多くする適応変調制御、あるいはサブキャリアグループの通信路品質が低いほど、それに所属するサブキャリアに割り当てる送信電力を大きくする送信電力制御等がある。【０１１８】
第２の受信機４０５の情報再生部４１１は、受信ＯＦＤＭ信号ＳＲＸから情報データを再生し、再生情報データＳＲＤＡＴとして出力する。また、受信ＯＦＤＭ信号ＳＲＸからサブキャリアグループ毎の通信路情報ＳＣＥＯを生成する。【０１１９】
パターン候補生成部４１３は、Ｎ個(Ｎは２以上の整数)のサブキャリアからｎ個(ｎはＮの任意の約数)単位で各サブキャリアグループを形成する場合、候補番号１からＫ（Ｋは１以上Ｎ！／（ｎ！）Ｍ）以下の整数。Ｍ＝Ｎ／ｎ）のグループパターンの候補からなるパターン候補群ＳＰＣＳを生成する。【０１２０】
通信路品質測定部４１２は、通信路情報ＳＣＥＯとパターン候補群ＳＰＣＳとを基に、パターン候補群ＳＰＣＳの各グループパターン候補について、サブキャリアグループ毎の通信路品質をそれぞれ測定し、１番目のサブキャリアグループからＭ番目のサブキャリアグループの順に通信路品質が高いグループパターン候補を選択する。そして、選択したグループパターン候補の候補番号を選択候補番号ＳＳＣＮとして出力し、そのサブキャリアグループ毎の通信路品質を通信路品質情報ＳＣＨＱとして出力する。【０１２１】
品質差測定部４１４は、通信路品質測定部４１２から出力された通信路品質情報ＳＣＨＱを基に、選択したグループパターン候補それぞれについて、各サブキャリアグループ間の通信路品質の差であるグループ間品質差を測定し、その結果をグループ間品質差情報ＳＣＨＱＤとして出力する。【０１２２】
パターン選択部４１５は、通信路品質測定部４１２から出力された選択候補番号ＳＳＣＮ及び通信路品質情報ＳＣＨＱと、品質差測定部４１４から出力されたグループ間品質差情報ＳＣＨＱＤと、パターン候補生成部４１３で生成されたパターン候補群ＳＰＣＳとに基づき、通信路品質測定部４１２で選択されたグループパターン候補のうち、グループ間品質差の和が最も大きいグループパターン候補を準最適グループパターンと決定し、該準最適グループパターンの候補番号を準最適候補番号ＳＴＧＰＯとして出力する。さらに、準最適グループパターンのサブキャリアグループ毎の通信路品質を修正通信路情報ＳＴＣＨＱＯとして出力する。【０１２３】
第２の送信機４０６は、準最適候補番号ＳＴＧＰＯ及び修正通信路情報ＳＴＣＨＯを含むフィードバック情報を生成し、該フィードバック情報から成る送信フィードバック信号ＳＦＢＴＸを第１の通信装置４０１へ送信する。【０１２４】
第１の受信機４０４は、第２の送信機４０６から送信された送信フィードバック信号ＳＦＢＴＸを受信し（受信フィードバック信号ＳＦＢＲＸ）、該受信フィードバック信号ＳＦＢＲＸから準最適候補番号ＳＴＧＰＯに対応する再生候補番号ＳＲＧＰＯを再生して第１の送信機４０３のパターン比較部４０９へ出力する。また、受信フィードバック信号ＳＦＢＲＸから修正通信路情報ＳＴＣＨＯに対応する再生通信路情報ＳＲＣＨＯを再生し、第１の送信機４０３の制御情報生成部４０８へ出力する。【０１２５】
パターン候補生成部４１０は、第２の受信機４０５のパターン候補生成部４１３と同様に候補番号１からＫ（Ｋは１以上Ｎ！／（ｎ！）Ｍ）以下の整数。Ｍ＝Ｎ／ｎ）のグループパターンの候補からなるパターン候補群ＳＰＣＳを生成する。【０１２６】
パターン比較部４０９は、再生候補番号ＳＲＧＰＯとパターン候補生成部４１０から出力されたパターン候補群ＳＰＣＳを比較し、準最適グループパターンに対応する再生グループパターンＳＧＰを出力する。【０１２７】
制御情報生成部４０８は、再生通信路情報ＳＲＣＨＯに基づき準最適グループパターンのサブキャリアグループ毎に適切なリンクアダプテーションを選択する。そして、該選択結果と各サブキャリアをグループ化するための再生グループパターンＳＧＰとを含む制御情報ＳＣＴＲＬをＯＦＤＭ信号生成部４０７へ出力する。【０１２８】
次に、第２の受信機４０５における準最適グループパターンの決定方法について図１６〜１６を用いて説明する。ここでは、全サブキャリア数Ｎ＝８、各サブキャリアグループに含まれるサブキャリア数ｎ＝２、サブキャリアグループ数Ｍ＝４とする。なお、第３の実施の形態のＯＦＤＭ通信システムでは、通信路品質として通信路情報を基に計算した通信路利得の絶対値を用いる。【０１２９】
図１６はサブキャリア毎に測定した通信路品質の値をそれぞれ示す図であり、図１７はパターン候補群のグループパターン候補の個数Ｋを６としたとき、グループパターン候補の各サブキャリアグループに含まれるサブキャリア番号とそのサブキャリアグループの通信路品質の平均値を示す図である。また、図１８は候補番号5,6のグループパターン候補のサブキャリアグループ間の通信路品質差を示している。例えば、Gr#1−Gr#2は第１番目のサブキャリアグループと第２番目のサブキャリアグループ間の通信路品質差を示している。【０１３０】
通信路品質測定部４１２は、通信路情報を基に各グループパターン候補のサブキャリアグループ毎の通信路品質をそれぞれ測定し、第１番目のサブキャリアグループから第４番目のサブキャリアグループの順に通信路品質が高いグループパターン候補の候補番号5,6を選択候補番号として出力する（図１７参照）。さらに、候補番号5,6のグループパターン候補における各サブキャリアグループの通信路品質を通信路品質情報として出力する。【０１３１】
品質差測定部４１４は、通信路品質情報に基づき候補番号5,6のグループパターン候補の各サブキャリアグループ間の通信路品質差であるグループ間品質差を測定し、その結果をグループ間品質差情報として出力する（図１８参照）。【０１３２】
パターン選択部４１５は、候補番号5,6のグループパターン候補のうち、グループ間品質差の和が最も大きい候補番号6のグループパターン候補を準最適グループパターンと決定し、候補番号6を準最適候補番号として出力する。【０１３３】
なお、上記説明では、サブキャリアグループ番号の若い方から順に通信路品質が高いグループパターン候補の番号を選択候補番号として出力する例を示したが、サブキャリアグループ番号の若い方から順に通信路品質の低いグループパターン候補の番号を選択候補番号として出力してもよい。【０１３４】
本実施形態のＯＦＤＭ通信システムによれば、準最適グループパターンに基づき各サブキャリアをグループ化するため、第１の実施の形態と同様に、各サブキャリアグループの通信路品質とそれに所属するサブキャリアの通信路品質間の差が低減し、サブキャリアグループ毎に生成される修正通信路情報も各サブキャリアの通信路品質に応じた情報となる。また、リンクアダプテーションもサブキャリアの通信路品質に対応したものが第１の送信機４０３にて実行される。【０１３５】
また、本実施形態では、サブキャリアグループの番号順に通信路品質が高い（あるいは低い）グループパターン候補を選択し、それらのグループパターン候補のうち、各サブキャリアグループ間の通信路品質差が最も大きいグループパターン候補を準最適グループパターンとして決定し、この準最適グループパターンを識別するための準最適候補番号を送信側である第１の通信装置に返信すれば、第２の実施の形態と同様に、フィードバック情報の情報量を低減できる。【０１３６】
なお、上記説明では、準最適候補番号を第１の通信装置４０１に返信し、第１の送信機４０３にて該準最適候補番号から準最適グループパターンを求め、サブキャリアをグループ化する例を示しているが、準最適候補番号ではなく、第１の実施の形態と同様に準最適グループパターンの情報を第１の通信装置４０１に返信してもよい。その場合、第１の通信装置４０１の第１の送信機４０３及び第１の受信機４０４に、それぞれ第１の実施の形態で示した構成を用いることができる。したがって、第１の送信機４０３にて準最適候補番号から準最適グループパターンを求める必要がないため、第１の送信機４０３を簡易に構成できる。
【図１】
0004626771.tif 000002
【図２】
0004626771.tif 000003
【図３】
0004626771.tif 000004
【図４】
0004626771.tif 000005
【図５】
0004626771.tif 000006
【図６】
0004626771.tif 000007
【図７】
0004626771.tif 000008
【図８】
0004626771.tif 000009
【図９】
0004626771.tif 000010
【図１０】
0004626771.tif 000011
【図１１】
0004626771.tif 000012
【図１２】
0004626771.tif 000013
【図１３】
0004626771.tif 000014
【図１４】
0004626771.tif 000015
【図１５】
0004626771.tif 000016
【図１６】
0004626771.tif 000017
【図１７】
0004626771.tif 000018
【図１８】
0004626771.tif 000019